(57)【要約】【課題】  ホストコントローラが水平同期信号の異常を検出したときの原因を切り分ける。【解決手段】  回転センサを備え付けた回転多面鏡と、前記回転多面鏡を定速に制御するために前記回転センサの信号と競合させる制御クロックと、前記回転多面鏡に照射して走査されるレーザ光と、前記レーザ走査光を規定の位置で検出する走査光検出器から構成し、走査光検出器が出力する水平同期信号を装置制御の契機とする光走査装置を用い、水平同期信号が出力される有効期間を、前回の水平同期信号を契機に、回転多面鏡の制御クロックをカウントすることで予め設定する。【選択図】          図１
2004354964.tif 000002
【特許請求の範囲】
【請求項１】
回転センサを備え付けた回転多面鏡と、前記回転多面鏡を定速に制御するために前記回転センサの信号と競合させる制御クロックと、前記回転多面鏡に照射して走査されるレーザ光と、前記レーザ走査光を規定の位置で検出する走査光検出器から構成し、走査光検出器が出力する水平同期信号を装置制御の契機とする光走査装置を用い、
水平同期信号が出力される有効期間を、前回の水平同期信号を契機に、回転多面鏡の制御クロックをカウントすることで予め設定することを特徴とする光走査装置の水平同期信号状態診断方法。
【請求項２】
複数本からなるレーザ光と、前記レーザ光を点灯／消灯するビデオ信号と、水平同期信号の個数を数えるカウンタと、ビデオ信号のＯＮ／ＯＦＦ状態をチェックするビデオ信号状態チェック部から構成し、水平同期信号を生成するために予めレーザ光を点灯させて水平同期信号の受信を契機にレーザ光を消灯する水平同期動作を仕様とする光走査装置は、記憶装置を備え、かつ、水平同期信号が出力される有効期間を、前回の水平同期信号を契機に、回転多面鏡の制御クロックをカウントすることで予め設定し、前述有効期間における水平同期信号の個数とビデオ信号のＯＮ／ＯＦＦ状態を前記記憶装置に保存することを特徴とする光走査装置の水平同期信号状態診断方法。
【発明の詳細な説明】
【技術分野】
【０００１】
本発明は、走査光を用いて感光体を走査する光走査装置に関する。
【背景技術】
【０００２】
以下、図面を用いて従来の技術を説明する。
【０００３】
図１は、レーザプリンタや複写機などに代表される電子写真装置に用いられる、光走査装置の構成を示している。ｎ個のレーザ光源１０から出射したｎ本のレーザビームは、回転多面鏡２０で反射し、ｆθレンズ３０を通じて感光ドラム４０上を走査しながら照射する。このとき、ドットイメージに変換された文字データや図形データがビデオ信号（レーザビームのＯＮ／ＯＦＦ信号）となり、感光ドラム４０の表面にレーザビームが照射される部分と照射されない部分とが形成され、いわゆる静電潜像が形成される。
【０００４】
回転多面鏡２０は、その回転センサの出力を制御クロックと競合させることで、定速に制御している。
【０００５】
走査光検出器５０は、前述感光ドラム４０と光学的に等しい距離で、かつ、主走査方向に対し感光ドラム４０より前にレーザビームが照射される位置に設置される。このセンサは、水平同期信号を生成し、走査光が感光ドラム４０上を走査する際に、ホストコントローラからのドットイメージ送信開始位置を決める。
【０００６】
図５は、レーザ光源が２個（ｎ＝１，２）の場合における、ビデオ信号と水平同期信号のタイミングチャートを示している。水平同期取り期間において、まずビデオ信号をＯＮの状態とし、この状態でレーザ光源１０から出射したレーザビームが回転多面鏡２０で反射し、ｆθレンズ３０を通じて走査光検出器５０に入射すると、水平同期信号がレーザビーム１本あたり１回出力され、各水平同期信号に対応するビデオ信号をＯＦＦする。
【０００７】
以上の構成においては、一回の走査につきｎパルスの水平同期信号が必要であり、水平同期信号がｎパルスに満たない場合、水平同期信号がｎパルスよりも多い場合、さらには水平同期信号が規定値と違うタイミングに出力された場合においては、水平同期取り期間の次に続く印刷期間において、ビデオ信号が誤ったタイミンングで出力される為、正確な静電潜像の形成ができない。よって、これらの場合においてホストコントローラは警告を発生し、動作を中断するように制御している。
【０００８】
また、従来、周期信号から所定の時間経過後にエンジンとの通信を開始し、前記通信によって取得されたステータスにより、印刷ページのページ終了により同期信号が出力されなくなったのか、プリンタエンジンに異常が発生して同期信号が出力されなくなったのかを判別するプリンタが知られている（例えば、特許文献１参照。）が、水平同期信号の異常を検出したときの原因を切り分ける構成は知られていない。
【０００９】
【特許文献１】特開２０００−３０９１１７号公報
【発明の開示】
【発明が解決しようとする課題】
【００１０】
水平同期信号のパルス数に対する異常の検出を行うことによって水平同期信号がｎパルスに満たない場合、水平同期信号がｎパルスよりも多い場合、さらには水平同期信号が規定値と違うタイミングに出力された場合のどの状態にあるかを切り分けすることが可能であるが、レーザ光源が発光していない場合、レーザ光路あるいは伝送路において水平同期信号が消失した場合、のいずれが原因にあるかを特定することができない。
【００１１】
本発明の目的は、水平同期信号の異常を検出したときの原因を切り分けることにある。
【課題を解決するための手段】
【００１２】
上記課題を解決するため、本発明では、回転センサを備え付けた回転多面鏡と、前記回転多面鏡を定速に制御するために前記回転センサ信号と競合させる制御クロックと、前記回転多面鏡に照射して走査されるレーザ光と、前記レーザ走査光を規定の位置で検出する走査光検出器から構成し、走査光検出器が出力する水平同期信号を装置制御の契機とする光走査装置を用い、水平同期信号が出力される有効期間を、前回の水平同期信号を契機に、回転多面鏡の制御クロックをカウントすることで予め設定することを特徴とする。
【００１３】
また、複数本からなるレーザ光と、前記レーザ光を点灯／消灯するビデオ信号と、水平同期信号の個数を数えるカウンタと、ビデオ信号のＯＮ／ＯＦＦ状態をチェックするビデオ信号状態チェック部から構成し、水平同期信号を生成するために予めレーザ光を点灯させて水平同期信号の受信を契機にレーザ光を消灯する水平同期動作を仕様とする光走査装置は、記憶装置を備え、かつ、水平同期信号が出力される有効期間を、前回の水平同期信号を契機に、回転多面鏡の制御クロックをカウントすることで予め設定し、前述有効期間における水平同期信号の個数とビデオ信号のＯＮ／ＯＦＦ状態を前記記憶装置に保存することを特徴とする。
【発明の効果】
【００１４】
本発明によれば、水平同期信号が出力される有効期間を前回の水平同期信号を契機に回転多面鏡の制御クロックをカウントする方法で予め設定し、前述有効期間における水平同期信号の個数とビデオ信号のＯＮ／ＯＦＦ状態を保持または報知することで、水平同期信号の異常を検出したときの原因を切り分けることが可能となる。
【発明を実施するための最良の形態】
【００１５】
以下、本発明の実施例を図面を用いて説明する。本発明で用いる光走査装置の基本的な構成は、上記従来技術で述べた図１の構成と同じため、説明は省略する。
【００１６】
図２は、レーザ光源が２個（ｎ＝１，２）の場合における、本発明の一実施例を示すタイミングチャートである。図２において、水平同期信号ｎ有効信号は、前回の水平同期信号を契機に回転多面鏡の制御クロックをカウントする方法で予め設定されている期間ＯＮとなる。ここで、ｍ面で構成される回転多面鏡の一回転に対し周波数ｆ（Ｈｚ）の制御クロックがｐパルス発生するとき、レーザビームｎに対応する水平同期信号ｎが出力されてから、次の走査周期において水平同期信号ｎが出力されるまでの時間Ｔは走査周期に等しく、（１）式により表される。
【００１７】
【数１】
2004354964.tif 000003
【００１８】
したがって、水平同期信号が出力されてから制御クロックｐ／ｍパルス後に、次の水平同期信号が出力されると予想できる。
【００１９】
一走査周期前におけるレーザビームｎの水平同期信号が出力されてから制御クロックｐ／ｍパルス後の時間から裕度時間ｓ１ｎ前に、水平同期信号ｎ有効信号がＯＮとなり、レーザビームｎに対応するビデオ信号ｎの論理レベルを検出するとともに水平同期過少信号をＯＮとする。裕度時間ｓ１ｎは、基準パルス１パルス分、すなわちｓ１ｎ＝１／ｆとすることがもっとも簡易であるが、裕度時間ｓ１ｎが小さければ小さいほど、本発明の効果が大きいことは言うまでもない。このとき、正常時はビデオ信号ｎがＯＮとなる。
【００２０】
次に、一走査周期前におけるレーザビームｎの水平同期信号が出力されてから裕度時間ｓ２ｎ経過後に、水平同期信号ｎ有効信号がＯＦＦとなり、再度ビデオ信号ｎの論理レベルを検出する。裕度時間ｓ２ｎは、基準パルス１パルス分に水平同期信号のパルス幅ｗを足した時間、すなわちｓ２ｎ＝１／ｆ＋ｗとすることがもっとも簡易であるが、裕度時間ｓ２ｎが小さければ小さいほど、本発明の効果が大きいことは言うまでもない。このとき、正常時はビデオ信号ｎがＯＦＦとなる。
【００２１】
さらに、ｎ本の水平同期信号ｎ有効信号の論理和がＯＮの状態の期間に出力される水平同期信号のパルス数を計上し、前述論理和がＯＦＦとなったときに水平同期信号の個数を検出し、ｎ個に満たないときに水平同期過少信号をＯＮし、ｎ個よりも多くなったときに水平同期過多信号をＯＮとする。正常時、すなわち水平同期信号がｎ個の時には、水平同期取り期間終了時に両信号がＯＦＦとなる。
【００２２】
図３は、レーザ光源が２個（ｎ＝１，２）の場合における、本発明の一実施例を示す回路図である。水平同期信号ｎ有効信号がＯＮすると、水平同期過少信号をＯＮ、水平同期過少信号をＯＦＦし、カウンタをクリアする。水平同期信号が出力される毎にカウンタは更新され、２となると水平同期過少信号をＯＦＦし、３となると水平同期過多信号をＯＮする。また、ビデオ信号状態チェック部１００は、水平同期信号ｎ有効信号がＯＮとなるとビデオ信号ｎをラッチし、その後、水平同期信号ｎ有効信号がＯＦＦとなるとビデオ信号ｎを別のラッチ回路でラッチする。水平同期信号ｎ有効信号が全てＯＦＦした後、ホストコントローラはこれらのデータを読み込み、全てＯＦＦ、すなわち”００”Ｈとなっていることを確認し、”００”Ｈでない場合にこれらのデータをメモリに保存する。
【００２３】
図４は、レーザ光源が２個（ｎ＝１，２）の場合における、本発明の一実施例を示すタイミングチャートであり、水平同期信号が１個しか検出されなかった場合である。このとき、ホストコントローラは”０３”Ｈをメモリに記憶し、ユーザに”ビデオ信号１はＯＮからＯＦＦに変化したが、ビデオ信号２はＯＮのままで、水平同期信号は２個検出されなかった”ことを知らせる。
【００２４】
なお、本発明において、走査光検出センサ５０（水平同期信号センサ）は、回転多面鏡を通過したレーザを検出する構成であり、センサの検出結果は回転多面鏡の回転に依存する。そのため、回転多面鏡の回転を決定する回転多面鏡用の制御クロックを用いることにより、走査光検出センサの出力を、より正確に予測可能である。
【図面の簡単な説明】
【００２５】
【図１】一般的な光走査装置の概略構成図である。
【図２】本発明の一実施例を示すタイミングチャートである。
【図３】本発明の一実施例を示す回路図である。
【図４】本発明の一実施例を示すタイミングチャート（水平同期信号が１個しか検出されなかった場合）である。
【図５】従来の技術を示すタイミングチャートである。
【符号の説明】
【００２６】
１０はレーザ光源、２０は回転多面鏡、３０はＦθレンズ、４０は感光ドラム、５０は走査光検出センサ、１００はビデオ信号状態チェック部である。
【図１】
2004354964.tif 000004
【図２】
2004354964.tif 000005
【図３】
2004354964.tif 000006
【図４】
2004354964.tif 000007
【図５】
2004354964.tif 000008